(57)【要約】      （修正有）【課題】製造が容易で、軽量性や屈曲性と耐摩耗性との両立が可能な靴底を提供する。【解決手段】靴底３は、接地面を構成するアウトソール５の上側にミッドソール４が接合されているなる二層構造を有するもので、アウトソール５の下面が接地面となっている。ミッドソール４は、軽量性かつ屈曲性に優れる材質、例えばエチレン−酢酸ビニル共重合体（ＥＶＡ）の発泡体で形成され、アウトソール５は、滑りにくく耐摩耗性に優れる材質（例えば、サーモプラスチックゴム（ＴＰＲ）で形成され、ミッドソール４とアウトソール５とが接着剤により接着されている。アウトソール５は、前端側及び後端側の部分５ａ，５ｂがミッドソール４の前端側及び後端側の部分を覆うように設けられている。【選択図】図１
0003152462.tif 000002
【実用新案登録請求の範囲】
【請求項１】
アウトソールの上側にミッドソールが接合されている二層構造を有する靴底であって、
前記ミッドソールが、軽量性かつ屈曲性に優れる材質から形成される一方、
前記アウトソールが、滑りにくく耐摩耗性に優れる材質から形成され、
前記ミッドソールとアウトソールとが接着剤により接着され、
前記アウトソールは、前端側及び後端側の部分が前記ミッドソールの前端側及び後端側の部分を覆うように設けられていることを特徴とする靴底。
【請求項２】
前記アウトソールの前端側及び後端側の部分は、つま先と踵が位置する部位に対応した部分であることを特徴とする請求項１に記載の靴底。
【請求項３】
前記ミッドソールは、エチレン−酢酸ビニル共重合体（ＥＶＡ）の発泡体で形成され、
前記アウトソールは、サーモプラスチックゴム（ＴＰＲ）で形成されることを特徴とする請求項１または２に記載の靴底。
【請求項４】
前記アウトソールは、下面中央部にポイント状の突出部が形成され、その周囲に前後方向あるいは左右方向に深い溝が形成されていることを特徴とする請求項３に記載の靴底。
【考案の詳細な説明】
【技術分野】
【０００１】
本考案は、ムートンブーツなどに用いられる靴底に関するものである。
【背景技術】
【０００２】
従来、ムートンブーツなどの靴底として、軽量で屈曲性に優れるという利点があることから、エチレン−酢酸ビニル共重合体（ＥＶＡ）の発泡体が用いられている。
【０００３】
しかしながら、そのようなＥＶＡは、一般に靴底に使用されてはいるものの、歩行時における地面との摩擦で摩耗が非常に早く耐久性において劣り、また、滑りやすいという課題がある。つまり、摩耗が早いと、底の形が変形しやすく、底が変形しやすいと、歩行時における正しい軌道をとれないことにつながる。このことは、足首、ひざ、腰に負担を掛けることになる。特に、筋力が劣る女性や子供の場合には、そのような負担がより一層大きくなる。
【０００４】
一方、滑りにくく耐摩耗性に優れる材料として、スポーツシューズなどにおいて、ＴＰＲ（サーモプラスチックゴム）が用いられている。
【０００５】
また、ＥＶＡよりなるミッドソールと、ゴム材よりなるアウトソールとを備えた靴底はすでに知られている（例えば、特許文献１参照）。
【０００６】
そこで、ミッドソールとして軽量性に優れる発泡ＥＶＡを用い、アウトソールとして滑りにくく耐摩耗性に優れるＴＲＰを用いることが考えられる。
【先行技術文献】
【特許文献】
【０００７】
【特許文献１】特開２００１−０５７９０１号公報
【考案の概要】
【考案が解決しようとする課題】
【０００８】
前述した特許文献１記載の技術では、アウトソールが、爪先部と踏み付け部の間、及び踏み付け部と不踏部の間に隙間が形成されるように前後方向に３分割されるものであり、ミッドソールとアウトソールとを、プレスで積層一体化されるコンプレッションソールでと呼ばれる構造であるため、製造が面倒である。
【０００９】
この発明は、製造が容易で、軽量性や屈曲性と耐摩耗性の両立が図れる靴底を提供することを目的とする。
【課題を解決するための手段】
【００１０】
請求項１の発明は、アウトソールの上側にミッドソールが接合されている二層構造を有する靴底であって、前記ミッドソールが、軽量性かつ屈曲性に優れる材質から形成される一方、前記アウトソールが、滑りにくく耐摩耗性に優れる材質から形成され、前記ミッドソールとアウトソールとが接着剤により接着され、前記アウトソールは、前端側及び後端側の部分が前記ミッドソールの前端側及び後端側の部分を覆うように設けられていることを特徴とする。
【００１１】
このようにすれば、前記ミッドソールが、軽量性かつ屈曲性に優れる材質から形成される一方、前記アウトソールが、滑りにくく耐摩耗性に優れる材質から形成され、前記ミッドソールとアウトソールとが接着剤により接着されるので、製造が容易で、軽量性や屈曲性と耐摩耗性の両立が図れる。また、アウトソールは、前端側及び後端側の部分が前記ミッドソールの前端側及び後端側の部分を覆うように設けられているので、耐摩耗性の向上を図る上で有利である。
【００１２】
請求項２に記載のように、前記アウトソールの前端側及び後端側の部分は、つま先と踵が位置する部位に対応した部分であることが望ましい。
【００１３】
このようにすれば、アウトソールの前端側及び後端側の部分が前記ミッドソールの前端側及び後端側の部分を覆うように設けられているので、靴を履いた人の体重（力）が特に作用する、つま先と踵が位置する部位に対応した部分の耐摩耗性が高められる。また、つま先の後の、指の付け根の曲がる部分は、軽量性かつ屈曲性に優れる材質が主体となるので、屈曲性が損なわれることもない。
【００１４】
請求項３に記載のように、前記ミッドソールは、エチレン−酢酸ビニル共重合体（ＥＶＡ）の発泡体で形成され、前記アウトソールは、サーモプラスチックゴム（ＴＰＲ）で形成されるようにすればよい。
【００１５】
このようにすれば、靴底の主体となるミッドソールをエチレン−酢酸ビニル共重合体（ＥＶＡ）の発泡体で形成されるので、軽量性や屈曲性が確保され、アウトソールをサーモプラスチックゴム（ＴＰＲ）で形成されるので、耐摩耗性が確保される。よって、軽量性や屈曲性と耐摩耗性の両立が図れる。
【００１６】
請求項４に記載のように、前記アウトソールは、下面中央部にポイント状の突出部が形成され、その周囲に前後方向あるいは左右方向に深い溝が形成されていることが望ましい。
【００１７】
このようにすれば、アウトソールを形成するサーモプラスチックゴム（ＴＰＲ）は滑りにくい材質ではあるが、下面中央部にポイント状の突出部が形成され、その周囲に前後方向あるいは左右方向に深い溝が形成されていることで、グリップ性をさらに向上させることができる。
【考案の効果】
【００１８】
本考案は、前記ミッドソールが、軽量性かつ屈曲性に優れる材質から形成される一方、前記アウトソールが、滑りにくく耐摩耗性に優れる材質から形成され、前記ミッドソールとアウトソールとが接着剤により接着されるので、製造が容易で、軽量性や屈曲性と耐摩耗性の両立が図れ、また、アウトソールは、前端側及び後端側の部分が前記ミッドソールの前端側及び後端側の部分を覆うように設けられているので、耐摩耗性の向上を図る上で有利である。
【図面の簡単な説明】
【００１９】
【図１】本考案に係る一実施の形態である左足用のムートンブーツを示す斜視図である。
【図２】前記ブーツの下側部分を示し、（ａ）は正面図、（ｂ）は背面図である。
【図３】前記ブーツの下側部分を示し、（ａ）は左側面図、（ｂ）は右面図である。
【図４】靴底の底面図である。
【考案を実施するための形態】
【００２０】
以下、本考案の実施の形態を図面に沿って説明する。
【００２１】
本考案に係る靴底は、アウトソールの上側にミッドソールが接合されているなる二層構造を有する靴底で、製造が容易で、軽量性や屈曲性と耐摩耗性の両立が図れるもので、例えば図１に示すように、靴の１つであるムートンブーツの靴底として用いられる。
【００２２】
この靴１（ムートンブーツ）は、アッパー２及び靴底３を備えている。靴底３は、図示しないインナソール、ミッドソール４，及びアウトソール５を備える。前記インナソールはミッドソール４の上側に積層され、このミッドソール４はアウトソール５の上側に積層される。アッパー２の材質及び構造は、すでに知られている既知のアッパーのそれと同等である。また、インソールの材質及び構造は、すでに知られている既知のインナーのそれと同等である。なお、この考案の靴底は、ムートンブーツに限定されず、あらゆる靴の靴底として用いることができる。よって、アッパー２を構成するものとして、６−６ナイロン、ポリエステル、面などの織物や編み物、あるいは人工皮革、合成皮革や天然皮革などの皮革が用いられる。
【００２３】
そして、靴底３は、接地面を構成するアウトソール５の上側にミッドソール４が接合されているなる二層構造を有するもので、アウトソール５の下面が接地面となっている。ここで、ミッドソール４は、軽量性かつ屈曲性に優れる材質で形成され、アウトソール５は、滑りにくく耐摩耗性に優れる材質で形成され、ミッドソール４とアウトソール５とが接着剤により接着されている。前記軽量性かつ屈曲性に優れる材質としては、例えばエチレン−酢酸ビニル共重合体（ＥＶＡ）の発泡体が相当し、ＥＶＡシートから所定形状に裁断されてミッドソールとされる。滑りにくく耐摩耗性に優れる材質としては、例えばサーモプラスチックゴム（ＴＰＲ）が相当し、成形型により所定の形状に成形される。ここで、ＥＶＡの発泡倍率は特に制限されず、いわゆる高密度ＥＶＡスポンジでも低密度ＥＶＡスポンジでもよい。
【００２４】
また、図２及び図３に示すように、アウトソール５は、前端側及び後端側の部分５ａ，５ｂがミッドソール４の前端側及び後端側の部分を覆うように設けられている。このアウトソール５の前端側及び後端側の部分５ａ，５ｂは、靴１を履いた人のつま先と踵が位置する部位に対応した部分である。これにより、アウトソール５の前端側及び後端側の部分５ａ，５ｂの間の部分は、アウトソール５の厚さがほぼ一定とされ、アウトソール５の前端側及び後端側の部分５ａ，５ｂでは厚さが厚くなり、ミッドソール４の前端側及び後端側の部分を覆うようになっている。つまり、靴底３において、前端側及び後端側の部分ではアウトソール５（滑りにくく耐摩耗性に優れる材質）の占める割合が大きくなり、それらの間の部分ではミッドソール４（軽量性かつ屈曲性に優れる材質）の占める割合が大きくなっている。
【００２５】
これにより、靴を履いた人の体重（力）が特に作用する、つま先と踵が位置する部位に対応した部分が、主として滑りにくく耐摩耗性に優れる材質で形成され、耐摩耗性の向上を図る上で有利となる。また、つま先の後の、指の付け根の曲がる部分は、軽量性かつ屈曲性に優れる材質が主体となるので、屈曲性にも優れることになる。
【００２６】
アウトソール５の下面（靴底面）は、図４に示すように、下面中央部にポイント状の突出部５ａが複数個形成され、その周囲に前後方向あるいは左右方向に延びる深い溝５ｂ，５ｃが形成され、アウトソール５を形成するサーモプラスチックゴム（ＴＰＲ）は滑りにくい材質ではあるが、突出部５ａや深い溝５ｂ，５ｃ，５ｄを形成することで、グリップ性をさらに向上するようにしている。
【符号の説明】
【００２７】
１    靴
２    アッパー
３    靴底
４    ミッドソール
５    アウトソール
５ａ    前端側の部分
５ｂ    後端側の部分
５ｃ〜５ｄ    溝
【図１】
0003152462.tif 000003
【図２】
0003152462.tif 000004
【図３】
0003152462.tif 000005
【図４】
0003152462.tif 000006